(57)【要約】      （修正有）【課題】外出先で気付いた衣類等に付着した埃、ペットの毛、車や電車のシート等に付着した糸屑等の小さなゴミを取り除くゴミ取り具であって、鞄やポケット等に入れて持ち歩くことのできる携帯用粘着式ゴミ取り具を提供する。【解決手段】携帯用粘着式ゴミ取り具の一部にゴミ収集袋２を取り付けることを特徴とする。こうすることにより、使用した粘着シートを粘着面を内側にして小さく折り畳んだ後、ゴミ収集袋に入れて持ち帰り、自宅でゴミ収集袋の中味を処理することができる。【選択図】図１
0003172468.tif 000002
【実用新案登録請求の範囲】
【請求項１】
携帯用粘着式ゴミ取り具の一部にゴミ収納袋を取り付けることを特徴とするゴミ収集袋付き携帯用粘着式ゴミ取り具。
【考案の詳細な説明】
【技術分野】
【０００１】
この考案は、外出先で気付いた衣類等に付着した埃、ペットの毛、車や電車のシート等に付着した糸屑等の小さなゴミを取り除くゴミ取り具であって、鞄やポケット等に入れて持ち歩くことのできる携帯用粘着式ゴミ取り具に関するものである。
【背景技術】
【０００２】
従来この種の携帯用粘着式ゴミ取り具は、各種提案がなされている。（例えば、特許文献１〜５参照）
これらの各種提案は、いずれも粘着面と剥離面を持った複数枚の粘着シートを積層し、携帯用としてポケットティッシュ又は名刺サイズに形成して持ち運びが便利なものにしている。特許文献２においては、粘着シートの粘着面を上にして積層し、ゴミを取る際に手の指を入れる袋状のポケットを形成することが配慮されている。その他の特許文献では、すべて粘着シートの粘着面を下にして積層し、粘着シートを一枚ずつはがして使用することが開示されている。
【先行技術文献】
【特許文献】
【０００３】
【特許文献１】実用新案登録第３００５６７１号
【０００４】
【特許文献２】実用新案登録第３０８３３６２号
【０００５】
【特許文献３】実用新案登録第３１０４３００号
【０００６】
【特許文献４】実用新案登録第３１２５４４７号
【０００７】
【特許文献５】実用新案登録第３１６０８２３号
【考案の開示】
【考案が解決しようとする課題】
【０００８】
この種の携帯用粘着式ゴミ取り具を使用する場合に、使用後の粘着シートの処理に困る場合が多い。都会の街路時や駅等におけるゴミ箱の数を減らす傾向にあり、さらに不便を感じている昨今である。従来考案されている携帯用粘着式ゴミ取り具には、使用後の粘着シートの処理について配慮したものはなく、この点を考慮した携帯用粘着式ゴミ取り具の考案が要求される。
【課題を解決するための手段】
【０００９】
本考案は、上記の課題を解決するために考案したもので、携帯用粘着式ゴミ取り具の一部にゴミ収納袋を取り付けることを特徴とするものである。
こうすることにより、使用した粘着シートを粘着面を内側にして小さく折畳んだ後、ゴミ収納袋に入れて持ち帰り、自宅でゴミ収納袋の中味を処理することができる。
【考案の効果】
【００１０】
本考案により、携帯用粘着式ゴミ取り具の使用者が、使用後の粘着シートの処理に困らず、ポイ捨てを防止し、街の美化にもつながるものである。
【考案を実施するための最良の形態】
【００１１】
以下、本考案のゴミ収納袋付き携帯用粘着式ゴミ取り具における最良の形態について、図面を参照して説明する。
【実施例１】
【００１２】
図１は、ゴミ収納袋を携帯用粘着式ゴミ取り具のカバーの内側に取り付けた状態を示すゴミ収納袋付き携帯用粘着式ゴミ取り具の斜視図である。１はカバー、２はゴミ収集袋、３は粘着シート積層部、４はカバーと粘着シート積層部の接着部分を示す。カバーと粘着シート積層部は４の部分で全面的に接着する。粘着シート積層部３から粘着シートを一枚剥がし、ゴミ取りをして、使用後の粘着シートを粘着部分を内側にして折畳み、ゴミ収集袋２に入れることにより、携帯用粘着式ゴミ取り具の使用者が、使用後の粘着シートの処理に困らず、ポイ捨てを防止し、街の美化にもつながるものである。
【００１３】
図２は、図１とは異なる形状のゴミ収納袋を携帯用粘着式ゴミ取り具カバーの内側に取り付けた状態を示すゴミ収納袋付き携帯用粘着式ゴミ取り具の斜視図である。１はカバー、２はゴミ収集袋、３は粘着シート積層部、４はカバーと粘着シート積層部の接着部分を示す。図２のゴミ収集袋は、ゴミ収集袋の上面と側面を開ける形状とする。
【００１４】
ゴミ収集袋の設置場所については、上記以外にもカバーの外側上面及び下面も考えられるが、エチケット的にはカバー内部に設置するのが望ましい。
【産業上の利用可能性】
【００１５】
携帯用粘着式ゴミ取り具にゴミ収納袋を取り付け組み合わせることにより、携帯用粘着式ゴミ取り具の使用者が、使用後の粘着シートの処理に困らず、ポイ捨てを防止し、街の美化につながることから、顧客満足度が高まり、市場の要求が高まることが予想されるため、産業上の利用可能性が高まるものである。 
【図面の簡単な説明】
【００１６】
【図１】ゴミ収納袋を携帯用粘着式ゴミ取り具のカバーの内側に取り付けた状態を示すゴミ収納袋付き携帯用粘着式ゴミ取り具の斜視図である。
【００１７】
【図２】図１とは異なる形状のゴミ収納袋を携帯用粘着式ゴミ取り具カバーの内側に取り付けた状態を示すゴミ収納袋付き携帯用粘着式ゴミ取り具の斜視図である。
【符号の説明】
【００１８】
１；カバー
２；ゴミ収集袋
３；粘着シート積層部
４；
カバーと粘着シート積層部の接着部分
【図１】
0003172468.tif 000003
【図２】
0003172468.tif 000004
【手続補正書】
【提出日】平成23年10月19日(2011.10.19)
【手続補正１】
【補正対象書類名】実用新案登録請求の範囲
【補正対象項目名】全文
【補正方法】変更
【補正の内容】
【実用新案登録請求の範囲】
【請求項１】
携帯用粘着式ゴミ取り具の一部にゴミ収納袋を取り付けること及び前記携帯用粘着式ゴミ取り具の粘着シート積層部と前記粘着シート積層部をカバーするカバー部材等を備え、前記カバーの内側裏面に、ゴミ挿入口を上部一方向に設けたゴミ収納袋、または上部及び横方向に同時に開くゴミ挿入口を設けるゴミ収納袋を設置することを特徴とするゴミ収納袋付き携帯用粘着式ゴミ取り具。
【手続補正２】
【補正対象書類名】明細書
【補正対象項目名】全文
【補正方法】変更
【補正の内容】
【考案の詳細な説明】
【技術分野】
【０００１】
この考案は、外出先で気付いた衣類等に付着した埃、ペットの毛、車や電車のシート等に付着した糸屑等の小さなゴミを取り除くゴミ取り具であって、鞄やポケット等に入れて持ち歩くことのできる携帯用粘着式ゴミ取り具に関するものである。
【背景技術】
【０００２】
従来この種の携帯用粘着式ゴミ取り具は、各種提案がなされている。（例えば、特許文献１〜５参照）
これらの各種提案は、いずれも粘着面と剥離面を持った複数枚の粘着シートを積層し、携帯用としてポケットティッシュ又は名刺サイズに形成して持ち運びが便利なものにしている。特許文献２においては、粘着シートの粘着面を上にして積層し、ゴミを取る際に手の指を入れる袋状のポケットを形成することが配慮されている。その他の特許文献では、すべて粘着シートの粘着面を下にして積層し、粘着シートを一枚ずつはがして使用することが開示されている。
【先行技術文献】
【特許文献】
【０００３】
【特許文献１】実用新案登録第３００５６７１号
【０００４】
【特許文献２】実用新案登録第３０８３３６２号
【０００５】
【特許文献３】実用新案登録第３１０４３００号
【０００６】
【特許文献４】実用新案登録第３１２５４４７号
【０００７】
【特許文献５】実用新案登録第３１６０８２３号
【考案の開示】
【考案が解決しようとする課題】
【０００８】
この種の携帯用粘着式ゴミ取り具を使用する場合に、使用後の粘着シートの処理に困る場合が多い。都会の街路時や駅等におけるゴミ箱の数を減らす傾向にあり、さらに不便を感じている昨今である。従来考案されている携帯用粘着式ゴミ取り具には、使用後の粘着シートの処理について配慮したものはなく、この点を考慮した携帯用粘着式ゴミ取り具の考案が要求される。
【課題を解決するための手段】
【０００９】
本考案は、上記の課題を解決するために考案したもので、携帯用粘着式ゴミ取り具のカバーの内側裏面に、ゴミ挿入口を上部一方向に設けたゴミ収納袋、または上部及び横方向に同時に開くゴミ挿入口を設けるゴミ収納袋を設置することを特徴とするものである。
こうすることにより、使用した粘着シートを粘着面を内側にして小さく折畳んだ後、ゴミ収納袋に入れて持ち帰り、自宅でゴミ収納袋の中味を処理することができる。
【考案の効果】
【００１０】
本考案により、携帯用粘着式ゴミ取り具の使用者が、使用後の粘着シートの処理に困らず、ポイ捨てを防止し、街の美化にもつながるものである。
【考案を実施するための最良の形態】
【００１１】
以下、本考案のゴミ収納袋付き携帯用粘着式ゴミ取り具における最良の形態について、図面を参照して説明する。
【実施例１】
【００１２】
図１は、携帯用粘着式ゴミ取り具のカバーの内側裏面に、ゴミ挿入口を上部一方向に設けたゴミ収納袋を取り付けた状態を示すゴミ収納袋付き携帯用粘着式ゴミ取り具の斜視図である。１はカバー、２はゴミ収納袋、３は粘着シート積層部、４はカバーと粘着シート積層部の接着部分を示す。カバーと粘着シート積層部は４の部分で全面的に接着する。粘着シート積層部３から粘着シートを一枚剥がし、ゴミ取りをして、使用後の粘着シートを粘着部分を内側にして折畳み、ゴミ収納袋２に入れることにより、携帯用粘着式ゴミ取り具の使用者が、使用後の粘着シートの処理に困らず、ポイ捨てを防止し、街の美化にもつながるものである。
【００１３】
図２は、携帯用粘着式ゴミ取り具カバーの内側裏面に上部及び横方向に同時に開くゴミ挿入口を設けるゴミ収納袋を取り付けた状態を示すゴミ収納袋付き携帯用粘着式ゴミ取り具の斜視図である。１はカバー、２はゴミ収納袋、３は粘着シート積層部、４はカバーと粘着シート積層部の接着部分を示す。
【００１４】
ゴミ収納袋の設置場所については、上記以外にもカバーの外側表面または裏面も考えられるが、エチケット的にはカバー内部に設置するのが望ましい。
【産業上の利用可能性】
【００１５】
携帯用粘着式ゴミ取り具にゴミ収納袋を取り付け組み合わせることにより、携帯用粘着式ゴミ取り具の使用者が、使用後の粘着シートの処理に困らず、ポイ捨てを防止し、街の美化につながることから、顧客満足度が高まり、市場の要求が高まることが予想されるため、産業上の利用可能性が高まるものである。 
【図面の簡単な説明】
【００１６】
【図１】携帯用粘着式ゴミ取り具のカバーの内側裏面に、ゴミ挿入口を上部一方向に設けたゴミ収納袋を取り付けた状態を示すゴミ収納袋付き携帯用粘着式ゴミ取り具の斜視図である。
【００１７】
【図２】携帯用粘着式ゴミ取り具カバーの内側裏面に上部及び横方向に同時に開くゴミ挿入口を設けるゴミ収納袋を取り付けた状態を示すゴミ収納袋付き携帯用粘着式ゴミ取り具の斜視図である。
【符号の説明】
【００１８】
１；カバー
２；ゴミ収納袋
３；粘着シート積層部
４； カバーと粘着シート積層部の接着部分